【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
フィールドバスインタフェースから受信したフィールドバスフォーマットのデータを、ネットワーク接続部に結合するシステムであって、
前記システムが、
前記フィールドバスインタフェースとブリッジＵＳＢインタフェース間に結合された、前記データをＵＳＢフォーマットのデータに変換するデータフォーマットコンバータと、
前記コンバータとカスケード状に結合された、第１の絶縁バリアを含むカップラと、
ＵＳＢフォーマットのデータを受信し、データを前記ネットワーク接続部に提供するデータサーバインタフェースを含むホストと、
前記フィールドバスインタフェースに電力を結合することにより該フィールドバスインタフェースに電力を供給し、第２の絶縁バリアを有するＤＣ−ＤＣコンバータを含み、これにより、データと電力が、前記フィールドバスインタフェースと前記ブリッジＵＳＢインタフェース間で隔離されて結合されるレギュレータとを具備し、
前記レギュレータはフィールドバス電力が有効であるかどうかを検知し、該フィールドバス電力が有効であると検知された場合には前記ＤＣ−ＤＣコンバータをターンオフし、該フィールドバス電力が有効でないと検知された場合には前記ＤＣ−ＤＣコンバータをターンオンし、また流れている電流があるかどうかを検知し、該電流がない場合には該フィールドバス電力をターンオフし、該電流がある場合には前記ＤＣ−ＤＣコンバータをターンオフし前記フィールドバス電力をターンオンする電力リミッタ回路を含むシステム。
【請求項２】
前記カップラが双方向性磁気抵抗カップラからなる、請求項１に記載のシステム。
【請求項３】
前記カップラが双方向性光カップラからなる、請求項１に記載のシステム。
【請求項４】
前記ホストが、前記データサーバインタフェースに結合されるフィールドバスデータテーブルを備える、請求項１に記載のシステム。
【請求項５】
前記データフォーマットコンバータ、カップラおよびレギュレータがブリッジに含まれる、請求項１に記載のシステム。
【請求項６】
前記ブリッジＵＳＢインタフェースが前記データフォーマットコンバータと前記レギュレータに結合し、前記ホストがホストＵＳＢインタフェースを備え、前記システムが、前記ブリッジとホストＵＳＢインタフェース間で結合されるＵＳＢケーブルをさらに備える、請求項５に記載のシステム。
【請求項７】
前記電力リミッタ回路は、前記ブリッジＵＳＢインタフェースから前記フィールドバスインタフェースまでの間の電力を制限する、請求項６に記載のシステム。
【請求項８】
前記レギュレータが、前記フィールドバスインタフェースでの利用可能電力を感知して、フィールドバスラインが前記フィールドバスインタフェースに電力を印加する際に、前記ブリッジＵＳＢインタフェースから引き出される電力を自動的に減少させる遮断回路を備える、請求項７に記載のシステム。
【請求項９】
前記レギュレータが、前記ブリッジＵＳＢインタフェースまたは前記フィールドバスラインのどちらかから電力を引き出すダイオード「ＯＲ」回路を備え、前記ダイオード「ＯＲ」回路が、前記フィールドバスラインから電力が供給された際に、前記フィールドバスラインから前記レギュレータに電力が逆流するのを阻止する、請求項８に記載のシステム。
【請求項１０】
前記外部フィールドバスラインに電力が提供されたときに前記ブリッジＵＳＢインタフェースから取られる電力を遮断するために、前記遮断回路が前記パワーリミッタに結合している、請求項８に記載のシステム。
【請求項１１】
前記レギュレータが、前記第２の絶縁バリアを含む隔離されたＤＣ／ＤＣコンバータを含む、請求項１に記載のシステム。
【請求項１２】
前記コンバータが、前記隔離されたＤＣ／ＤＣコンバータに結合されている一時停止出力を提供し、前記ブリッジＵＳＢインタフェースがアイドルである時には、前記ＤＣ／ＤＣコンバータの動作を一時停止させる、請求項１１に記載のシステム。
【請求項１３】
前記コンバータは、前記フィールドバスインタフェースにおけるプロトコル特性を自動的に感知して、この感知されたプロトコル特性に対して自身の動作を調整する、請求項１に記載のシステム。
【請求項１４】
前記レギュレータは、前記ブリッジＵＳＢインタフェースからの電力を前記フィールドバスインタフェースに結合するＤＣ／ＤＣコンバータを備える、請求項１に記載のシステム。
【請求項１５】
前記レギュレータは、前記フィールドバスインタフェースからの電力を前記コンバータに結合するＤＣ／ＤＣコンバータを備える、請求項１に記載のシステム。
【請求項１６】
前記外部電源が、前記レギュレータに接続された外部フィールドバス電力入力からなり、前記レギュレータが、外部フィールドバス電力入力での電力状態を感知し、電力が外部フィールドバス電力入力に印加されている場合に、前記ブリッジＵＳＢから引き出される電力を自動的に低減する請求項１に記載のシステム。
【請求項１７】
フィールドバスラインからのフィールドバスデータをネットワークラインに結合する方法であって、
前記方法が、
フィールドバスデータをＵＳＢデータに変換するステップと、
第１の絶縁バリアをカスケード状に前記変換ステップと結合するステップと、
ＵＳＢデータをホストで受信するステップと、
ＵＳＢデータをネットワーク接続部に提供するデータサーバインタフェースと、ネットワーク接続部とを備えたホストを提供するステップと、
ＵＳＢインタフェース又は外部電源の一方から電力を受けるようにレギュレータを構成し、受け取られた電力を、前記ＵＳＢインタフェースから前記フィールドバスラインへ第２の絶縁バリアを有するＤＣ−ＤＣコンバータを介して結合し、該フィールドバスラインに電力を供給することによってデータと電力とが前記フィールドバスインタフェースとネットワーク接続との間に絶縁的に結合されるようにするステップと、
フィールドバス電力が有効であるかどうかを検知し、該フィールドバス電力が有効であると検知された場合には前記ＤＣ−ＤＣコンバータをターンオフし、該フィールドバス電力が有効でないと検知された場合には前記ＤＣ−ＤＣコンバータをターンオンし、また流れている電流があるかどうかを検知し、該電流がない場合には該フィールドバス電力をターンオフし、該電流がある場合には前記ＤＣ−ＤＣコンバータをターンオフし前記フィールドバス電力をターンオンすることによって電力を制限するステップと、
を含む方法。
【請求項１８】
前記第１の絶縁バリアを含む双方向性磁気抵抗カップラを提供するステップを含む、請求項１７に記載の方法。
【請求項１９】
前記第１の絶縁バリアを含む双方向性光カップラを提供するステップを含む、請求項１７に記載の方法。
【請求項２０】
フィールドバスデータテーブルからの前記ホスト中のデータをデータサーバインタフェースに結合するステップを含む、請求項１７に記載の方法。
【請求項２１】
前記変換ステップ、前記第１の絶縁バリアを結合する前記ステップおよび電力を結合するステップを実行するためのブリッジを提供するステップを含む、請求項１７に記載の方法。
【請求項２２】
前記ブリッジ中のブリッジＵＳＢインタフェースからのデータを前記ホスト中のホストＵＳＢインタフェースに対してＵＳＢケーブルを介して結合するステップを含む、請求項２１に記載の方法。
【請求項２３】
前記ブリッジＵＳＢインタフェースからの電力の制限を前記フィールドバスインタフェースに設定するステップを含む、請求項２２に記載の方法。
【請求項２４】
前記フィールドバスインタフェースでの利用可能電力を感知して、フィールドバスラインから電力が供給される際に、前記ブリッジＵＳＢインタフェースから引き出される電力を自動的に減少させるステップを含む、請求項２２に記載の方法。
【請求項２５】
前記第１のＵＳＢインタフェースまたは前記フィールドバスラインのどちらかからダイオード「ＯＲ」回路を介して電力を前記フィールドバスに提供するステップを含み、前記ダイオード「ＯＲ」回路が、前記フィールドバスラインから電力が供給された際に、前記フィールドバスラインから前記レギュレータに電力が逆流するのを阻止するステップを含む、請求項２４に記載の方法。
【請求項２６】
前記外部フィールドバス電力入力部に電力が供給された際に、前記第１のＵＳＢインタフェースから取られる電力を遮断するステップを含む、請求項２２に記載の方法。
【請求項２７】
前記レギュレータ中の前記第２の絶縁バリアを含む隔離されたＤＣ／ＤＣコンバータを提供するステップを含む、請求項１７に記載の方法。
【請求項２８】
前記隔離されたＤＣ／ＤＣコンバータに一時停止出力を提供し、前記第１のＵＳＢインタフェースがアイドルの時は、前記ＤＣ／ＤＣコンバータの動作を一時停止させるステップを含む、請求項２７に記載の方法。
【請求項２９】
前記フィールドバスライン上のプロトコル特性を自動的に感知して、この感知されたプロトコル特性に対してそれ自体の動作を調整するステップを含む、請求項１７に記載の方法。
【請求項３０】
前記電力を結合するステップが、前記ブリッジＵＳＢインタフェースからの電力を前記フィールドバスインタフェースに結合するＤＣ／ＤＣ変換ステップを含む、請求項１７に記載の方法。
【請求項３１】
前記電力を結合するステップが、前記フィールドバスインタフェースからの電力を前記コンバータに結合するＤＣ／ＤＣ変換ステップを含む、請求項１７に記載の方法。
【請求項３２】
前記外部電源が、前記レギュレータに接続された外部フィールドバス電力入力からなり、前記レギュレータが、外部フィールドバス電力入力での電力状態を感知し、電力が外部フィールドバス電力入力から利用可能な場合に、前記ホストからの結合電力を自動的に低減する請求項１７に記載の方法。
【請求項３３】
フィールドバスインタフェースから受信したフィールドバスフォーマットのデータをホストに結合するシステムであって、
前記システムが、
前記フィールドバスインタフェースとブリッジＵＳＢインタフェース間に結合された、データを前記ホストに結合可能なＵＳＢフォーマットのデータに変換するデータフォーマットコンバータと、
前記コンバータとカスケード状に結合された、第１の絶縁バリアを含むカップラと、
ＵＳＢインタフェース又は外部電源の一方から電力を受けるように構成され、電力を前記フィールドバスインタフェースに結合し、データと電力が前記フィールドバスインタフェースとブリッジＵＳＢインタフェースとの間に絶縁的に結合されるように第２の絶縁バリアを有するＤＣ−ＤＣコンバータを含むレギュレータとを具備し、
前記レギュレータはフィールドバス電力が有効であるかどうかを検知し、該フィールドバス電力が有効であると検知された場合には前記ＤＣ−ＤＣコンバータをターンオフし、該フィールドバス電力が有効でないと検知された場合には前記ＤＣ−ＤＣコンバータをターンオンし、また流れている電流があるかどうかを検知し、該電流がない場合には該フィールドバス電力をターンオフし、該電流がある場合には前記ＤＣ−ＤＣコンバータをターンオフし前記フィールドバス電力をターンオンする電力リミッタ回路を有する、システム。
【請求項３４】
前記外部電源が、前記レギュレータに接続された外部フィールドバス電力入力からなり、前記レギュレータが、外部フィールドバス電力入力での電力状態を感知し、電力が外部フィールドバス電力入力に印加されている場合に、前記ブリッジＵＳＢから引き出される電力を自動的に低減する請求項３３に記載のシステム。